(57)【要約】商品を載置する基板１と、基板１上に自然状態において常に前方移動状態に置かれる自動商品押圧体２と、自動商品押圧体２の後方に位置し、手動による引き出し操作により前方移動して自動商品押圧体２を押し出す手動押圧体３ａと、を有する商品前出し具１０ｂ。  本発明によれば、重量物や袋状物のようなはみ出し部がある商品であっても、陳列商品を確実に前出しすることができる商品前出し具を提供することができる。【特許請求の範囲】
【請求項１】
商品を載置する基板と、
該基板上に常に前方移動状態に置かれる自動商品押圧体と、
該自動商品押圧体の後方に位置し、手動による引き出し操作により前方移動して該自動商品押圧体又は陳列商品を押し出す手動押圧体と、を有することを特徴とする商品前出し具。
【請求項２】
前記自動商品押圧体は該基板のレール部に前後方向スライド自在に嵌められることを特徴とする請求項１記載の商品前出し具。
【請求項３】
前記自動商品押圧体の該基板との当接部、又は該基板の上面のいずれか一方又は両方に滑り手段を付設したことを特徴とする請求項１又は２記載の商品前出し具。
【請求項４】
前記自動商品押圧体は、起立する商品押圧板と該商品押圧板の下端から前方へ延びる底板とを有するものであることを特徴とする請求項１〜３のいずれか１項記載の商品前出し具。
【請求項５】
前記自動商品押圧体の底板は、少なくとも１個の商品を載置する前後方向の長さを有し、先端に突状の商品滑り止め部を設けたものであることを特徴とする請求項１〜４のいずれか１項記載の商品前出し具。
【請求項６】
前記自動商品押圧体の底板は、ひとつの段差を有する後方上りの階段状であるか、又は上面に左右方向に延在する１条の突起を有する平板状であることを特徴とする請求項５記載の商品前出し具。
【請求項７】
前記手動押圧体は、引き出し用の操作部と、手を離すと元に戻る後方付勢手段とを備えることを特徴とする請求項１〜６のいずれか１項記載の商品前出し具。
【請求項８】
前記後方付勢手段が、バネ部材であるか、又は後方下り傾斜に取り付けられた手動押圧体内の錘部材であることを特徴とする請求項１〜７のいずれか１項記載の商品前出し具。
【請求項９】
前記常に前方移動状態とする手段が、該基板の前方端と該自動商品押圧体を接続する接続部材により該自動商品押圧体を前方へ引張る手段であるか、該基板の後方端と該自動商品押圧体を離す方向に付勢する弾発部材により該自動商品押圧体を前方へ押し出す手段であるか、又は該基板の商品載置面を前方下り傾斜とすることを特徴とする請求項１〜８のいずれか１項記載の商品前出し具。
【請求項１０】
前記基板から立設する商品仕切り板を更に設けたことを特徴とする請求項１〜９のいずれか１項記載の商品前出し具。
【請求項１１】
前記基板とは別部材である正面視がＬ字形状の商品仕切り板を更に有し、前記基板と前記商品仕切り板は、幅調整自在に嵌合するものであることを特徴とする請求項１〜９のいずれか１項記載の商品前出し具。
【請求項１２】
前記手動押圧体を、該商品仕切り板の仕切り板本体に設けたことを特徴とする請求項１１に記載の商品前出し具。
【請求項１３】
前記商品仕切り板の前方部の陳列商品側に、該商品仕切り板と陳列商品との間に隙間を形成する突起を更に設けたことを特徴とする請求項９〜１２のいずれか１項記載の商品前出し具。
【発明の詳細な説明】
【技術分野】
【０００１】
本発明は、スーパーなどで使用される陳列商品の前出しに好適な商品前出し具に関するものである。
【背景技術】
【０００２】
スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法として、固定された商品陳列棚に商品前出し機能を有する商品前出し体を設置して、陳列商品を自動的に前に押し出すものも知られている。
一方、特開２０００−３５０６４３号公報には、棚板に底板を商品の前出し方向と平行に着脱自在に設け且つ該底板上の商品の前出し方向に直交する方向に移動可能に設けて、前記底板に商品押し板を商品の前出し方向に進退移動自在に設け、前記底板上の商品を区分けすると共に、商品の前出し移動をガイドする仕切り板兼用引き出し具を商品押し板に回動自在に軸支してなり、前記棚板の商品取出部位近傍で前記商品押し板をその移動を規制するストッパー機構により停止させる、いわゆる手動前出しの商品陳列具が開示されている。
［特許文献１］特開２０００−３５０６４３号公報（請求項１）
しかしながら、従来の自動商品前出し体は、前方下り傾斜の陳列面に設置され且つ錘を載せたものであるため、前方への押圧力が小さく、前後方向に多量の商品が並ぶ場合、あるいは袋状物のようにはみ出し部がある場合には、重量の影響や引っ掛かりにより商品を前方へ確実に送り出すことはできなかった。自動前出しの場合、前方への押圧力が大き過ぎると、商品を傷つけたり、最前列の商品が前方へ転落する恐れがあり、前方への押圧力はそれほど大きくできないという問題がある。また、商品毎に前方への押圧力が異なる商品陳列具を設置することも可能であるが使用し難く且つコストアップとなるものであった。一方、手動前出しの場合、作業者がいちいち前出しの操作を定期又は不定期で行う必要があり面倒であった。
従って、本発明の目的は、重量物や袋状物のようにはみ出し部がある商品であっても、陳列商品を確実に前出しすることができる商品前出し具を提供することにある。
【発明の開示】
【０００３】
かかる実状において、本発明者は鋭意検討を行った結果、商品を載置する基板上に設置状態において常に前方移動状態に置かれる自動商品押圧体と、該自動商品押圧体の後方に位置し、手動による引き出し操作により前方移動して該自動商品押圧体を押し出す手動押圧体とを有する商品自動兼手動前出し具であれば、自動商品押圧体で前出しできない陳列商品のみ、補助的に手動操作で前出しを行うため、重量物や袋状物のようにはみ出し部がある商品であっても、作業者にそれほどの労力をかけることなく、全ての陳列商品を確実に前出しできることを見出し、本発明を完成するに至った。
すなわち、本発明は、商品を載置する基板と、該基板上に常に前方移動状態に置かれる自動商品押圧体と、該自動商品押圧体の後方に位置し、手動による引き出し操作により前方移動して該自動商品押圧体又は陳列商品を押し出す手動押圧体と、を有する商品前出し具を提供するものである。
また、本発明は、前記自動商品押圧体は基板のレール部に前後方向スライド自在に嵌められることを特徴とする前記商品前出し具を提供し、また、本発明は、前記自動商品押圧体の基板との当接部又は該基板の上面のいずれか一方又は両方に滑り手段を付設した前記商品前出し具を提供し、また、本発明は、前記自動商品押圧体は、起立する商品押圧板と該商品押圧板の下端から前方へ延びる底板とを有する前記商品前出し具を提供し、また、本発明は、前記自動商品押圧体の底板は、少なくとも１個の商品を載置する前後方向の長さを有し、先端に突状の商品滑り止め部を設けたものである前記商品前出し具を提供し、また、本発明は、前記自動商品押圧体の底板は、ひとつの段差を有する後方上りの階段状であるか、又は上面に左右方向に延在する１条の突起を有する平板状である商品前出し具を提供し、また、本発明は、前記手動押圧体は、引き出し用の操作部と、手を離すと元に戻る後方付勢手段とを備える前記商品前出し具を提供し、また、本発明は、前記後方付勢手段が、バネ部材であるか、又は後方下り傾斜に取り付けられた手動押圧体内の錘部材である前記商品前出し具を提供し、また、本発明は、前記常に前方移動状態とする手段が、該基板の前方端と該自動商品押圧体を接続する接続部材により該自動商品押圧体を前方へ引張る手段であるか、該基板の後方端と該自動商品押圧体を離す方向に付勢する弾発部材により該自動商品押圧体を前方へ押し出す手段であるか、又は該基板の商品載置面を前方下り傾斜とする前記商品前出し具を提供し、また、本発明は、前記基板から立設する商品仕切り板を更に設けた前記商品前出し具を提供し、また、本発明は、前記基板とは別部材である正面視がＬ字形状の商品仕切り板を更に有し、前記基板と前記商品仕切り板は、幅調整自在に嵌合するものである前記商品前出し具を提供し、また、本発明は、前記手動押圧体を、該商品仕切り板の仕切り板本体に設けた前記商品前出し具を提供し、また、本発明は、前記商品仕切り板の前方部の陳列商品側に、該商品仕切り板と陳列商品との間に隙間を形成する突起を更に設けた商品前出し具を提供するものである。
発明の効果
本発明の商品前出し具によれば、前出しが容易な商品は作業者等の手を煩わせることなく自動的に前出しができ、押出し力が弱く自動前出しができない商品にのみ、補助的に手動操作で前出しすることができる。このため、重量物や袋状物のようにはみ出し部がある商品であっても、それほどの労力をかけることなく、全ての陳列商品を確実に前出しできる。このため、あらゆる形状や重量の陳列商品が並ぶ商品陳列棚を整然とした前出し状態とすることができる。
【図面の簡単な説明】
【０００４】
第１図は、第１の実施の形態における商品前出し具の斜視図であり、第２図は、第１図の商品前出し具の構成部材である自動商品押圧体を裏から見た斜視図であり、第３図は、第２図の自動商品押圧体を底から見た斜視図であり、第４図は、第１図の商品前出し具のＡ−Ａ線に沿って見た図であり、第５図は、第１図の商品前出し具のＢ−Ｂ線に沿って見た図であり、第６図は、第２の実施の形態における商品前出し具の斜視図であり、第７図は、第３の実施の形態における商品前出し具を２つ並べた状態の斜視図であり、第８図は、本例において、手動押圧体を裏側から見た図であり、第９図は、２つ並べた本例の商品前出し具の平面図であり、第１０図は、第４の実施の形態における商品前出し具を２つ並べた状態の斜視図であり、第１１図は、手動押圧体を裏側から見た図であり、第１２図は、第１１図において、手動押圧体から錘部材を外した状態を示す図であり、第１３図は、商品仕切り板と陳列商品との間に隙間を形成する突起を説明する平面図であり、第１４図は、第５の実施の形態における商品前出し具の斜視図であり、第１５図は、第５の実施の形態における商品前出し具の側面図であり、第１６図は、第１４図の商品前出し具の他の自動押圧体の形態を示す斜視図であり、第１７図は、第１４図の商品前出し具の他の自動押圧体の形態を示す斜視図であり、第１８図は、第１５図の商品前出し具を使用した他の陳列形態を示す図である。
【符号の説明】
【０００５】
１        基板
２        自動商品押圧体
３        手動押圧体
５        商品仕切り板
７        ＰＯＳレール
８        商品陳列棚
１０、１０ａ〜１０ｄ
１１      長穴
１２      レール部
【発明を実施するための最良の形態】
【０００６】
次に、本発明の第１の実施の形態における商品前出し具を第１図〜第５図を参照して説明する。第１図は第１の実施の形態における商品前出し具の斜視図、第２図は、第１図の商品前出し具の構成部材である自動商品押圧体を後方側から見た斜視図、第３図は第２図の自動商品押圧体を底から見た斜視図、第４図は第１図の商品前出し具のＡ−Ａ線に沿って見た図、第５図は第１図の商品前出し具のＢ−Ｂ線に沿って見た図である。本明細書において、「前」は商品を取り出す側、すなわち顧客側を言い、「後」はその反対側を言う。左右は前側から見た方向を言う。
第１図中、商品前出し具１０は、商品を載置する基板１と、基板１上に設置状態において常に前方移動状態に置かれる自動商品押圧体２と、自動商品押圧体２の後方に位置し、手動による引き出し操作により前方移動する手動押圧体３を有する。なお、第１図中、自動商品押圧体２の前方には陳列商品が存在するが、図面の描写を簡略化するため、その記載を省略している。
基板１は、天板１５と側板１６を有するケース状の枠体であり、裏面は補強リブ１７、１７が幅方向に所定の間隔をおいて前後方向に延出している。また、基板１の片側（第４図中の左側）は側板が省略され、後述する仕切り板５の底板５１が嵌合する開口１６１を有している。なお、基板１は、この開口１６１が無く左の側板が右側の側板１６と同様に形成されていてもよい。
また、基板１は中夬部が所定の幅と長さにくり抜かれた矩形状の長穴１１（ガイド溝）を有している。そして、ガイド溝１１の両側の鍔部材１２が自動商品押圧体２の前後の移動を案内するレール部として機能する。また、基板１の天板１５には、４本の筋状突起１３が幅方向に所定の間隔をおいて前後方向に延出している。筋状突起１３は陳列商品との摩擦を低減して陳列商品の前方移動を容易にするものである。
また、基板１の前後方向端部には、所定の幅と長さにくり抜かれた矩形状の横穴１４を有している。横穴１４は後述する仕切り板５の底板５１の係合突起５８が係合する係合孔である。本発明において、自動商品押圧体２の基板１との当接部（自動商品押圧体２の底面）又は基板１の天板１５（上面）のいずれか一方又は両方に滑り手段が付設されているものが、円滑な前出しができる点で好ましい。具体的には、基板１の天板１５の上面構造は本例の筋状突起１３に限定されず、例えばローラーを前後方向に多数付設してもよい。また、天板１５には摩擦低減効果のある被覆剤をコーティングしたもの、フッ素系樹脂などの低摩擦材、あるいはエンボス加工面など接触面積を低減させたものなども使用できる。これにより、自動商品押圧体２の前方の移動が一層容易となる。
自動商品押圧体２は、陳列の際は商品を支持すると共に、前方移動の際は商品を押す機能を果たすものである。自動商品押圧体２は、底板２４と、底板２４の前方端から上方へ延出し更に後方へやや傾斜した商品押圧板２１からなり、裏側に設置された両側部材２９ａ、２９ａ及び中間リブ部材２９ｂ、２９ｂとで、裏側収容部２９ｃ、２９ｄ及び２９ｅを形成している。中央収容部２９ｄには軸受け２９１に軸支される帯状鋼板巻取り巻き出し部２７が収容され、両側の収容部には前後一対の回転ローラー２５、２５がそれぞれ収容されている。
接続部材である帯状鋼板２２は、一端が基板１の前方端の止め部２３に接続され、他端が帯状鋼板巻取り巻き出し部２７に巻き取られることで、自動商品押圧体２を基板１に対して設置状態において常に前方移動状態としている。なお、接続部材としては、特に制限されず、帯状鋼板以外に、例えばゴム紐などが挙げられる。なお、接続部材が接続される箇所としては、一端が基板の前方側部材であり、他方が商品前出し体２であれば特に制限されない。また、前後回転ローラー２５、２５は自動商品押圧体２の前後の移動を円滑にするものである。また、底板２４の裏側には、長穴１１の両側にある鍔部材１２に嵌合する嵌合片２６が付設されている。嵌合片２６は正面視、略Ｌ字断面形状物が背中合わせとなったものである。嵌合片２６のこのような形状により、自動商品押圧体２の安定した前方移動が可能となる。
なお、自動商品押圧体２の形態はこれに限定されず、例えば幅寸法が基板１の幅寸法と略同じの矩形状の底板と底板の後方端から立設する幅寸法が基板１の幅寸法と同じの矩形状の商品押圧板を備え、左側面視形状が略Ｌ字形状物、底板の中央から商品押圧板が立設する逆Ｔ字形状物などが挙げられる。自動商品押圧体２の底板の裏面構造としては、ローラー２５が付設されたものに限定されず、ローラー２５が省略されていてもよく、前述のような基板の天板１５の例示されたような低摩擦材等であってもよい。
手動押圧体３は、自動商品押圧体２の後方に位置し、手動による引き出し操作により前方移動して自動商品押圧体２を押し出す機能を果たすものである。すなわち、手動押圧体３は、基板１に載置され且つガイド溝１１の両側の鍔部材１２にガイドされる押圧板３１と、押圧板３１の下端部に一端が接続され、帯状鋼板３２の下方に位置し且つ先端の摘み部３３が基板１の前方に突出するように延びる長尺状の操作部３２からなる。
なお、手動押圧体３は、自動商品押圧体２を押す形態に限定されず、自動商品押圧体２に支持された陳列商品を直接当接して押すような形態のものであってもよい。この場合、手動押圧体３が陳列商品を直接押出すことにより、自動商品押圧体２の押圧負荷が軽減され、当初自動商品押圧体２により前出しできなかった商品が前出しされる。
本例の商品前出し具１０によれば、自動商品押圧体２は、基板１上のレール部である鍔部材１２に嵌められ、且つ帯状鋼板２２により前方へ引っ張られるため、自然状態において常に前方移動状態にあり、商品押圧板２１の前方に載置された陳列商品を前出し状態にしている。この際、陳列商品が重量物であるとか、袋状で張り出し部があり、隣接する商品などの部材に引っ掛かり前方移動ができない場合、手動押圧体３を作用させ自動商品押圧体２共々陳列商品を前方に押し出す。
なお、商品前出し具１０は既存の商品陳列棚に設置されるものであり、該商品陳列棚の前方に設置されている商品転落防止板により、最前列の商品が棚から転落することはない。また、陳列商品は基板１上で滑り易く、帯状鋼板２２の付勢力は弱くてよく、作業者が商品を補充する際、自動商品押圧体２を軽く後方へ押せばよいため、作業労力を軽減することができる。なお、商品前出し具１０を既存の商品陳列棚に設置する方法としては、特に制限されず、単に載せる方法、接着剤または両面接着テープにより固定設置する方法、商品陳列棚の形成された嵌合溝又は嵌合穴に商品前出し具１０の基板に付設された嵌合突起を嵌合させる方法等が挙げられる。また、既存の商品陳列棚に商品前出し具１０を複数個並列して設置することもできる。
次に、第２の実施の形態における商品前出し具を第６図を参照して説明する。第６図は本例の商品前出し具の斜視図である。第６図において、第１図と同一構成要素には同一符号を付してその説明を省略し異なる点について主に説明する。
すなわち、第６図の商品前出し具１０ａにおいて、第１図の商品前出し具１０と異なる点は、基板１の一側（第６図中の左側）に別途の部材である商品仕切り板５を嵌め込んだ点にある。商品仕切り板５は、基板５１と、基板５１の左端から立設する仕切り板本体５２からなるＬ字断面形状のものである。商品仕切り板５の基板５１は、その周縁部の厚肉部５１２と、厚肉部５１２の内側の薄肉部５１３と、薄肉部５１３の一部に形成される貫通穴部５１１と、厚肉部５１２の前後端部の係合突起５８（第８図参照）を有する。厚肉部５１２の前後部は基板１の当該対向位置にある空間に入り込み、係合突起５８は横穴１４に係合する。また、薄肉部５１３を形成することにより基板１の狭い裏空間に挿入し易くしている。商品仕切り板５の基板５１は、その内側の先端が操作棒３２に近接する位置まで基板１に入り込んでいる。
また、仕切り板本体５２の内側（商品陳列側）面に前後方向に延出する上下２条の筋状突起５４、５４を形成している。これにより、陳列商品の側面と仕切り板本体５２の接触抵抗を低減している。また、第１３図に示すように、仕切り板本体５２の前方部の陳列商品側、本例では両側に、仕切り板本体５２と陳列商品Ａとの間に隙間を形成する突起５５０を更に設けてもよい。この隙間の存在により商品仕切り板５と陳列商品Ａはより接触し難くなり前出しが一層容易となる。
また、商品前出し具１０ａにおいて、基板１と商品仕切り板５は、互いに別途の部材であって幅調整自在に嵌合するものであってもよい。幅調整自在に嵌合する形態としては、基板１と商品仕切り板５の基板５１との係合が手でスライド自在の調整が可能で且つ固定できる程度の係合強さのもの、あるいは商品仕切り板５の基板５１上に左右方向に細かいピッチで長孔が多数形成され、これに基板１に側板の係合片が係合する形態などが挙げられる。商品前出し具１０ａによれば、商品前出し具１０と同様の効果を奏する他、陳列商品の一方の側を区画することができる。
次に、第３の実施の形態における商品前出し具を第７図〜第９図を参照して説明する。第７図は本例の商品前出し具を２つ並べた状態の斜視図、第８図は手動押圧体を後方側から見た図、第９図は２つ並べた本例の商品前出し具の平面図である。第７図中、左側は満杯の商品を前出しに陳列した状態図、右側は商品の陳列がない状態図であり、第９図の上側は数少ない商品を前出しに陳列する状態図、下側は上側の状態で手動押圧体を前方移動させた状態図である。第７図〜第９図において、第６図と同一構成要素には同一符号を付してその説明を省略し異なる点について主に説明する。
すなわち、第７図〜第９図の商品前出し具１０ｂにおいて、第６図の商品前出し具１０ａと異なる点は、手動押圧体３ａの設置位置を仕切り板本体５２とした点及び手動押圧体３ａは引き出した後、手を離すと元に戻るようにした点にある。すなわち、商品前出し具１０ｂの基板１には手動押圧体が無い。また、仕切り板本体５２の上部には、手動押圧体３ａが設置される。また、仕切り板本体５２の上部には、前後方向に幅広の凹部であって、両側縁に前後方向所定のピッチで切り欠き５６が形成された溝５５（ケース部）に、手動押圧体３ａに後端が接続された長尺板状の操作部３２ａが嵌めこまれている。これにより、操作部３２ａを手前に引き出せば、手動押圧体３ａが前方に円滑に移動する。押圧板３１ａは操作部３２ａの後端から内側（右側）に突出している。また、押圧板３１ａの裏側にある係合突起３８と仕切り板本体５２の後端にある係合突起５８をテンションバネ３５により接続して、設置状態において、押圧板３１ａが常に後方位置にあるようにしている。
第９図の上側の図において、陳列商品が重量物であるとか、袋状物で張り出し部があり、仕切り板本体５２などに引っ掛かり前方移動ができない場合、手動押圧体３ａの操作部３２ａを前方（図中、左側）へ引っ張り出し、自動商品押圧体２を後方から直接押出し、自動商品押圧体２共々陳列商品を前方に押し出す（第９図の下側の図）。商品前出し具１０ｂによれば、商品前出し具１０ａと同様の効果を奏する他、操作部３２ａの操作が行い易い。
次に、第４の実施の形態における商品前出し具を第１０図〜第１２図を参照して説明する。第１０図は本例の商品前出し具を２つ並べた状態の斜視図、第１１図は手動押圧体を裏側から見た図、第１２図は第１１図において、手動押圧体から錘部材を取り出した状態を示す図である。第１０図中、左側は満杯の商品を前出しに陳列した状態図、右側は商品の陳列がない状態図である。第１０図〜第１２図において、第７図及び第８図と同一構成要素には同一符号を付してその説明を省略し異なる点について主に説明する。
すなわち、第１０図〜第１２図の商品前出し具１０ｃにおいて、第７図及び第８図の商品前出し具１０ｂと異なる点は、操作部３２ｂを後方下り傾斜に設置し且つ押圧板３１ｃと仕切り板本体５２を接続するトーションバネを省略すると共に、押圧板３１ｃ内に錘部材３１１を入れた点、及び仕切り板５の前端に既設のＰＯＳレール７１１に係合する係合溝５２１を有する桟部材５２０を形成させた点にある。すなわち、操作部３２ｂを後方下り傾斜に設置するため、押圧板３１ｃと仕切り板本体５２をバネで接続しなくとも、押圧板３１ｃをある程度重くすれば、自然状態において、押圧板３１ｃが常に後方位置にくる。押圧板３１ｃに錘部材３１１を設置する方法としては、本例のように、押圧板３１ｃを内側３１２が開口する箱状として、該開口から錘部材３１１を入れ込む方法以外に、押圧板３１ｃ自体を重量物で製作する方法などが挙げられる。商品前出し具１０ｃによれば、商品前出し具１０ｂと同様の効果を奏する他、押圧板３１ｃと仕切り板５後方が製作しやすく、すっきりとする。
次に、第５の実施の形態における商品前出し具を第１４図及び第１５図を参照して説明する。第１４図は本例の商品前出し具の斜視図、第１５図は本例の商品前出し具の側面図をそれぞれ示す。第１４図の２つの商品前出し具の中、左側のものは、使用状態図（但し、陳列商品は記載を省略した）、右側のものは構成部材が分解された斜視図である。また、第１４図中、ＰＯＳレールは図面描写の簡略化のため、その記載を省略した。第１４図及び第１５図において、第７図と同一構成要素には同一符号を付してその説明を省略し異なる点について主に説明する。
第１４図及び第１５図の商品前出し具１０ｄにおいて、第７図の商品前出し具１０ｂと異なる点は、主に商品仕切り板の筋状突起５４を２条としたこと、溝５５における切り欠き部５６のピッチを大きくしたこと、手動押圧体の形状を横長としたこと、自動商品押圧体を、前出しの負荷を低減するような形状に変更したことにある。
すなわち、商品前出し具１０ｄにおいて、自動商品押圧体２は、起立する商品押圧板６０と商品押圧板６０の下端から前方へ舌状に延びる矩形状の底板６１とを有し、左側面視がＬ字形状のものである。自動商品押圧体２の底板６１は、少なくとも１個の商品を載置する前後方向の長さを有し、ひとつの低い段差６１１を有する後方上りの階段状である。すなわち前後方向の中央よりやや先端側に凹面部６３を有し、更にその先端に突状の商品滑り止め部６４を設けている。また、起立する商品押圧板６０の前面の両側には前方下り傾斜の縁部６５１を有する三角形状のガイド板６５を設けている。商品前出し具１０ｄの自動商品押圧体２によれば、第１５図に示すように、底板６１面に商品Ａ１が乗るため、当該商品Ａ１と基板面との摩擦は生じないこと、ガイド板６５の前方下り傾斜の縁部６５で商品を支えるため、陳列商品には前方斜め上方に押圧力が作用するため、商品前出し具１０ｄの押圧負荷を低減させる。また、作業者が新規に商品を補充する際、奥側の商品Ａ１を凹面部６３に載せ、次いで前方から商品を補充するだけで、商品Ａ１の下端が段差６１１に当り、陳列商品をやや後方に倒れたような姿勢にすることができる。なお、自動商品押圧体２の底板６１は、上記形態に限定されず、例えば上面に左右方向に延在する１条の突起を有する平板状であっても、上記段差と同様の効果を奏する。
一方、商品前出し具１０ｄにおいて、例えば幅厚の商品Ｂを陳列する場合、起立姿勢あるいはやや前方に倒れたような陳列姿勢をとることができる。やや前方に倒れたような陳列姿勢は、三角形状のガイド板６５の下方に空間６５２が形成されることにより達成することができる。この陳列姿勢によれば、例えば最前列の商品Ｂ１が抜き取られる際、商品Ｂ１の下端後方のエッジ６９が隣接する商品Ｂ２の前面部に当っており、引き出す際の障害がなく、円滑に引き出すことができる。
商品前出し具１０ｄにおいて、商品押圧板６０は鉛直状の起立状態のものに限定されず、後方にやや傾くようなものであってもよく、また、ガイド板６５の側面形状としては、第１４図のものに限定されず、前方下り傾斜が底板６１まで連続するようなものでもよく、また、底板６１の上面としては、凹面６３が無い平坦形状のもの（第１７図参照）であってもよい。また、商品押圧板６０において、ガイド板６５は無くてもよい（第１６図参照）。
本発明において、自動商品押圧体を設置状態において常に前方移動状態とする手段としては、前述のような帯状鋼板で引っ張る方法以外に、基板の後方端と該自動商品押圧体を離す方向に付勢する弾発部材により該自動商品押圧体を前方へ押し出す手段、あるいは基板の商品載置面を前方下り傾斜とすることなどが挙げられる。また、本発明において、手動押圧体が自動商品押圧体を押すことなく、直接商品を前出しする形態としては、特に制限されず、例えば自動商品押圧体の高さより高い位置に手動押圧体を設置する形態などが挙げられる。また、本発明において、上記実施の形態以外の形態として、上記実施の形態で挙げられた各構成要素を組み合わせた種々の形態を採ることもできる。
【産業上の利用可能性】
【０００７】
本発明の商品前出し具をスーパーやドラッグストアなどの商品陳列棚面に設置すれば、基板上の商品が重量物であっても、袋状で出っ張りがあるような場合であっても、陳列商品を自動且つ補助的手段の手動によりに確実に前に送り出す作用力があり、作業者の前出し作業の労力を軽減すると共に、顧客にとっては商品が取り出し易いものとなる。
【図１】
2007020725.tif 000002
【図２】
2007020725.tif 000003
【図３】
2007020725.tif 000004
【図４】
2007020725.tif 000005
【図５】
2007020725.tif 000006
【図６】
2007020725.tif 000007
【図７】
2007020725.tif 000008
【図８】
2007020725.tif 000009
【図９】
2007020725.tif 000010
【図１０】
2007020725.tif 000011
【図１１】
2007020725.tif 000012
【図１２】
2007020725.tif 000013
【図１３】
2007020725.tif 000014
【図１４】
2007020725.tif 000015
【図１５】
2007020725.tif 000016
【図１６】
2007020725.tif 000017
【図１７】
2007020725.tif 000018
【図１８】
2007020725.tif 000019
【国際調査報告】
2007020725.tif 000020
2007020725.tif 000021
2007020725.tif 000022
2007020725.tif 000023